【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
ネットワーク同士を接続する少なくとも１つのネットワーク間接続装置と、
ネットワークに接続された機器のネットワーク接続機器情報を管理する管理装置と、を備え、
前記管理装置は、前記ネットワーク間接続装置にアクセスして、前記ネットワーク間接続装置に実装されたＬＬＤＰ機能により取得された前記ネットワーク間接続装置に隣接する機器の隣接機器情報を取得する手段と、該取得した隣接危機情報に基づいてネットワーク接続機器情報を更新する手段と、前記取得した隣接機器情報から、前記ネットワーク間接続装置のアクセスされたポート以外のポートに接続される前記ネットワーク間接続装置の有無を判断する手段と、を備え、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新することを特徴とするネットワーク管理システム。
【請求項２】
ネットワーク同士を接続する少なくとも１つのネットワーク間接続装置と、
ネットワークに接続された機器のネットワーク接続機器情報を管理する管理装置と、を備えるネットワーク管理システムにおいて、
前記管理装置が、前記ネットワーク間接続装置にアクセスして、前記ネットワーク間接続装置に実装されたＬＬＤＰ機能により取得された前記ネットワーク間接続装置に隣接する機器の隣接機器情報を取得し、該取得した隣接危機情報に基づいてネットワーク接続機器情報を更新し、前記取得した隣接機器情報から、前記ネットワーク間接続装置のアクセスされたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新することを特徴とするネットワーク管理方法。
【請求項３】
ネットワーク間接続装置にアクセスして、ネットワーク間接続装置に実装されたＬＬＤＰ機能により取得された前記ネットワーク間接続装置に隣接する機器の隣接機器情報を取得し、該取得した隣接機器情報に基づいてネットワーク接続機器情報を更新し、前記取得した隣接機器情報から、前記ネットワーク間接続装置のアクセスしたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新することを特徴とするネットワーク管理装置。
【請求項４】
ネットワークに接続された機器の情報を管理する管理装置において、
ネットワーク間接続装置にアクセスして、ネットワーク間接続装置に実装されたＬＬＤＰ機能により取得された前記ネットワーク間接続装置に隣接する機器の隣接機器情報を取得し、該取得した隣接機器情報に基づいてネットワーク接続機器情報を更新し、前記取得した隣接機器情報から、前記ネットワーク間接続装置のアクセスしたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新することを特徴とするネットワーク管理方法。
【請求項５】
ネットワーク同士を接続する少なくとも１つのネットワーク間接続装置と、
前記ネットワーク間接続装置のグローバルアドレスを管理する管理装置と、
ネットワーク間接続装置と１以上のネットワーク機器からなる第１のネットワークと、
少なくとも前記管理装置と前記ネットワーク間接続装置からなる第２のネットワークと、を備え、
前記第１のネットワークごとに、同一条件の前記ネットワーク機器は前記ネットワーク間接続装置の同一のポート番号のポートに接続して同一のプライベートアドレスを設定し、
前記第１のネットワークの前記ネットワーク機器に対し割り当てられるプライベートアドレス及びポート番号と、前記第２のネットワークの前記管理装置と前記ネットワーク間接続装置に対し割り当てられるグローバルアドレスを用いて通信することを特徴とするネットワーク管理システム。
【請求項６】
少なくとも２以上のポートを備え、
ＬＬＤＰ通信コマンドを受信した場合に、受信した側のポートからブリッジ設定した他のポートに前記ＬＬＤＰ通信コマンドをルーティングしないように所定の前記ポート間のブリッジ設定を行うことを特徴とするネットワーク間接続装置。
【手続補正２】
【補正対象書類名】明細書
【補正対象項目名】発明の名称
【補正方法】変更
【補正の内容】
【発明の名称】ネットワーク管理システム、ネットワーク管理方法、ネットワーク管理装置およびネットワーク間接続装置。
【手続補正３】
【補正対象書類名】明細書
【補正対象項目名】００１８
【補正方法】変更
【補正の内容】
【００１８】
上記課題を解決するために、本発明のネットワーク管理システムは、ネットワーク同士を接続する少なくとも１つのネットワーク間接続装置と、ネットワークに接続された機器の情報を管理する管理装置と、を備え、前記管理装置は、前記ネットワーク間接続装置にアクセスして、前記ネットワーク間接続装置に実装されたＬＬＤＰ機能により取得された前記ネットワーク間接続装置に隣接する機器の隣接機器情報を取得する手段と、該取得した隣接危機情報に基づいてネットワーク接続機器情報を更新する手段と、前記取得した隣接機器情報から、前記ネットワーク間接続装置のアクセスされたポート以外のポートに接続される前記ネットワーク間接続装置の有無を判断する手段と、を備え、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新する。
また、上記課題を解決するために、本発明のネットワーク管理方法は、ネットワーク同士を接続する少なくとも１つのネットワーク間接続装置と、ネットワークに接続された機器の情報を管理する管理装置と、を備えるネットワーク管理システムにおいて、前記管理装置が、前記ネットワーク間接続装置にアクセスして、前記ネットワーク間接続装置に実装されたＬＬＤＰ機能により取得された前記ネットワーク間接続装置に隣接する機器の隣接機器情報を取得し、該取得した隣接危機情報に基づいてネットワーク接続機器情報を更新し、前記取得した隣接機器情報から、前記ネットワーク間接続装置のアクセスされたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新する。
【手続補正４】
【補正対象書類名】明細書
【補正対象項目名】００１９
【補正方法】変更
【補正の内容】
【００１９】
また、上記課題を解決するために、本発明のネットワーク管理装置は、ネットワーク間接続装置にアクセスして、ネットワーク間接続装置に実装されたＬＬＤＰ機能により取得された前記ネットワーク間接続装置に隣接する機器の隣接機器情報を取得し、該取得した隣接機器情報に基づいてネットワーク接続機器情報を更新し、前記取得した隣接機器情報から、前記ネットワーク間接続装置のアクセスしたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新する。
また、上記課題を解決するために、本発明のネットワーク管理方法は、ネットワークに接続された機器の情報を管理する管理装置において、ネットワーク間接続装置にアクセスして、ネットワーク間接続装置に実装されたＬＬＤＰ機能により取得された前記ネットワーク間接続装置に隣接する機器の隣接機器情報を取得し、該取得した隣接機器情報に基づいてネットワーク接続機器情報を更新し、前記取得した隣接機器情報から、前記ネットワーク間接続装置のアクセスしたポート以外のポートに接続される前記ネットワーク間接続装置の有無を判断し、アクセスされたポート以外のポートにネットワーク間接続装置が接続されている場合に、該アクセスされたポート以外のポートに接続されたネットワーク間接続装置の隣接機器情報を取得して前期ネットワーク接続機器情報を更新する。
【手続補正５】
【補正対象書類名】明細書
【補正対象項目名】００２０
【補正方法】変更
【補正の内容】
【００２０】
また、上記課題を解決するために、本発明のネットワーク管理システムは、ネットワーク同士を接続するネットワーク間接続装置と、前記ネットワーク間接続装置のグローバルアドレスを管理する管理装置と、ネットワーク間接続装置と１以上のネットワーク機器からなる第１のネットワークと、少なくとも前記管理装置と前記ネットワーク間接続装置からなる第２のネットワークと、を備え、前記第１のネットワークごとに、同一条件の前記ネットワーク機器は前記ネットワーク間接続装置の同一のポート番号のポートに接続して同一のプライベートアドレスを設定し、前記第１のネットワークの前記ネットワーク機器に対し割り当てられるプライベートアドレス及びポート番号と、前記第２のネットワークの前記管理装置と前記ネットワーク間接続装置に対し割り当てられるグローバルアドレスを用いて通信する。
【手続補正６】
【補正対象書類名】明細書
【補正対象項目名】００２１
【補正方法】変更
【補正の内容】
【００２１】
また、上記課題を解決するために、本発明のネットワーク間接続装置は、少なくとも２以上のポートを備え、ＬＬＤＰ通信コマンドを受信した場合に、受信した側のポートからブリッジ設定した他のポートに前記ＬＬＤＰ通信コマンドをルーティングしないように所定の前記ポート間のブリッジ設定を行う。